(57)【要約】【課題】配送先や配送元を秘匿したい場合であっても、その情報は配送に用いられるため隠すことはできず、表示しなければならない、このような場合、配送先や配送元を表示した封入物等は配送後も情報として残ってしまう欠点を解消することが可能な配送物およびこれに用いられる封筒を提供することを課題とした。【解決手段】透明フィルム部分に顕像化画像が設けられている封筒に、顕像化画像と重ね合わせたときに顕像化し、顕像化画像と重ね合わせたときに潜像化する潜像画像を設けた配送指示封入物が封入されている配送物およびこれに用いられる封筒を提供する。【選択図】図１
2015081128.tif 000002
【特許請求の範囲】
【請求項１】
透明フィルム部分に顕像化画像が設けられていることを特徴とする封筒。
【請求項２】
前記透明フィルム部分が窓貼りフィルム部分であることを特徴とする請求項１に記載の封筒。
【請求項３】
前記顕像化画像がモアレ現象を利用するものであることを特徴とする請求項１または２記載の封筒。
【請求項４】
請求項１から３何れか記載の封筒に、前記顕像化画像と重ね合わせたときに顕像化し、前記顕像化画像と重ね合わせたときに潜像化する潜像画像を設けた配送指示封入物が封入されていることを特徴とする配送物。
【請求項５】
潜像画像が配送先または配送元またはその両方を表示するものであることを特徴とする請求項４記載の配送物。
【請求項６】
潜像画像が配送先を表示するものであることを特徴とする請求項５記載の配送物。
【請求項７】
前記配送指示封入物が、配送目的物自身もしくは配送目的物と一体化したものであることを特徴とする請求項４ないし６何れか記載の配送物。
【発明の詳細な説明】
【技術分野】
【０００１】
本発明は、督促状や証明書などの書面、カードなどの有価証券などの配送目的物を封筒に封入した状態で、透明フィルム部分から視認できる配送指示封入物の配送先画像により配送される封書などの郵便物や宅配される封書などの配送物、およびこの配送物を封入するための封筒に関する。
【背景技術】
【０００２】
近年、郵便や宅配などの配送物はいろいろな配送目的物を配送するのに利用されている。
【０００３】
特に最近ではカードなどの有価証券物のみならず個人情報を多く含んだ配送物を配送するのに用いられている。この場合に含まれる個人情報は雑多な場合が多いが、配送先の宛先である名称や住所等も秘匿が望まれる情報に含まれる場合が多い。近年まで単独の情報では分散しており有効利用が困難であった情報も、特に最近ではビックデータ活用により、有効活用できる時代になっており、以前野放図に公開されている個人に関する情報も有効活用される技術が進んでいる。
【０００４】
また、宛名だけではなく配送元も個人情報に関係する場合がある。すなわち、サラリーマン金融などの各種金融機関や、公共料金などの督促状、通告状、その他の各種内容証明郵便などは、配送元を秘匿したい場合がある。
【０００５】
しかし、このような配送先や配送元を表示する氏名や名称、住所や居所は、それが外部から読み取れない限り配送することはできず、また、配送先不明や受け取り拒否の場合に配送元へ返送することができなくなってしまう。
【０００６】
従って、このような個人情報その他の理由により配送先や配送元を秘匿したい場合であってもそれを隠すのは困難で、このような場合、配送先や配送元を表示した封入物等は配送後も情報として残ってしまう欠点があった。このような情報を完全に消すには、シュレッダーなどで処理しなければならなかった。
【０００７】
他方、従来より偽造変造改竄防止、真贋判断技術としてモアレ効果を利用した潜像技術として特許文献１や特許文献２や特許文献３に示した技術が知られている。
【０００８】
すなわち、これらの技術は潜像画像と顕像具を用いるものであり、潜像画像そのものは視認できないが、顕像具を重ね合わせると潜像画像が顕像化し視認できるようになるものである。
【０００９】
このような潜像顕像技術は、偽造変造改竄防止、真贋判断技術などのセキュリティー用途以外にも各種ディスプレイや玩具、学習教育資料などに用いられているが、何れの用途においても潜像画像のままが通常状態であり、真贋判断や正解判断時点において顕像具を重ね合わせることにより検証などをおこなう技術であった。
【先行技術文献】
【特許文献】
【００１０】
【特許文献１】特開昭５３−２８４４３号公報
【特許文献２】特開２００９−２０２５７０号公報（特に優先権基礎出願の特願２００８−１８８３５の記載）
【発明の概要】
【発明が解決しようとする課題】
【００１１】
郵便や宅配などの配送物の配送時点では配送先または配送元などの個人情報が表示されて郵便集配や宅配便集配のみならず、配送後の社内配送や保管分類においても支障がないにもかかわらず、開封、内容確認、内容物使用開始等において個人情報が容易に認識されず、悪用が容易でない配送物、およびこのような配送物のための封筒が求められていた。
【課題を解決するための手段】
【００１２】
上記課題を達成するために、透明フィルム部分に顕像化画像が設けられていることを特徴とする封筒を提供するものである。
【００１３】
また、前記透明フィルム部分が窓貼りフィルム部分であることを特徴とする封筒を提供するものである。
【００１４】
前記顕像化画像がモアレ現象を利用するものであることを特徴とする封筒を提供するものである。
【００１５】
上記封筒に、前記顕像化画像と重ね合わせたときに顕像化し、前記顕像化画像と重ね合わせたときに潜像化する潜像画像を設けた配送指示封入物が封入されていることを特徴とする配送物を提供するものである。
【００１６】
潜像画像が配送先または配送元またはその両方を表示するものであることを特徴とする配送物を提供するものである。
【００１７】
潜像画像が配送先を表示するものであることを特徴とする配送物を提供するものである。
【００１８】
前記配送指示封入物が、配送目的物自身もしくは配送目的物と一体化したものであることを特徴とする配送物を提供するものである。
【発明の効果】
【００１９】
請求項１に記載の発明によれば、通常なら認識できない潜像が設けられている配送指示封入物の表示内容を、配送途中だけ顕像化できる封筒を提供できるものであり、これにより潜像しか配送指示がなされていない配送指示封入物の指示に従って配送することができるものである。
【００２０】
請求項２の発明によれば、配送先や配送元などの特定の部位のみ透明にでき、他の部分を隠すことが可能であるために、カードなどの個人情報を守ることができるのみならず、カード等の有価物であることを悟られない封筒を提供することができる。また、これにより顕像化画像を設けられる領域もしくは面積を最小限にすることができ、費用節減に寄与できる。
【００２１】
請求項３の発明によれば、ドットや万線など印刷のみで潜像を顕像化することが可能になり、安価に個人情報等を保護することが可能になる。
【００２２】
請求項４の発明によれば、配送指示封入物が封筒に封入されることにより実際の配送に供することができる。
【００２３】
請求項５の発明によれば、配送先や配送元などを保護することができ、これにより確実
な配送が望める。
【００２４】
請求項６の発明によれば、配送先を隠すことができ、これにより誰に配送されたかの情報を保護することができる。
【００２５】
請求項７の発明によれば、配送指示封入物と配送目的物が一体化しているので、配送指示封入物のみが封筒内に残留する可能性を低くして、配送指示封入物を封筒から取り出す操作を促すことができ、これにより意識しなくとも個人情報の漏洩確率を減らすことができる。
【図面の簡単な説明】
【００２６】
【図１】本発明にかかる窓貼りフィルム部分に顕像化画像が設けられている封筒に、前記顕像化画像と重ね合わせたときに顕像化し、前記顕像化画像と重ね合わせたときに潜像化する潜像画像を設けた配送指示封入物が封入されていることを特徴とする配送物である封書の正面図である。
【図２】図１の封書に封入されている配送指示封入物の正面図である。
【図３】図１の封書に用いられる封筒の正面図である。
【図４】図１とは異なる実施例にかかるものであり、宛先部分のみ窓貼りフィルム部分に顕像化画像が設けられている封筒の正面図である。
【図５】図２とは異なる実施例にかかるものであり、配送目的物であるカードが切れ目により保持され一体化している状態の配送指示封入物の正面図である。
【図６】図３や図４とは異なる実施例にかかるものであり、全体が透明フィルムよりなり、宛先部分のみ顕像化画像が設けられている封筒の正面図である。
【図７】図３や図４や図６とは異なる実施例にかかるものであり、全体が顕像化画像が設けられている透明フィルムよりなる封筒の正面図である。
【図８】画像全体のなかに潜像画像が設けられている場合を示す平面図である。
【図９】図８の拡大図である。
【発明を実施するための形態】
【００２７】
本願発明に用いられる封筒は、全体が透明でもよいが、少なくとも一部に透明部分を有することが求められる。この場合の封筒は、長方形が一般的であるが、正方形や楕円などでも構わないし、その材質も紙に限らずプラスチックその他の材料でも構わない。特に、宛先等以外の封入物を配送中に外部から認識されたくない場合は、窓貼りフィルム以外の部分を不透明にするが、この場合は他の部分は不透明であれば紙に限らずプラスチックその他の材料でも構わないし、内容物が完全に隠蔽される必要がないなら半透明などでも構わない。
【００２８】
窓貼りフィルム部分は、透明であることが求められる。すなわち、セロファン、プラスチックなどの各種材料が用いられるが、封筒本体への接続が接着剤による接着であれば接着特性が求められるし、熱融着するものであれば熱融着材料であることが求められる。なお、このフィルムは完全に透明である必要はなく、潜像が認識できるものであれば黄色等の色付きフィルムでも構わない。顕像化画像が設けられていることを隠蔽するために色付きフィルムを積極的に使用する場合も存在する。
【００２９】
顕像化画像は、少なくとも後述の潜像画像に相当する位置に設けられる必要があるが、一般的にはあて先などの配送指示部分であるが、もちろん顕像化画像が設けられていることを隠蔽するため、もしくはデザイン上の必要から封筒全体もしくは特殊なデザイン形状に配置されるものでもよい。
【００３０】
また、顕像化画像は黒色が一般的であるが、潜像画像とモアレ等を表示させるものであ
れば藍色などの他の色でも構わないが、潜像画像が顕像化した場合にはっきり外部から配送指示が認識される必要がある。
【００３１】
この場合の顕像化画像は、印刷によりフィルムに設けられるのが一般的であるが、フィルムに他のフィルムを貼り付け、もしくは転写などの方法により設けたものでも構わない。さらに、最初から万線フィルムとして設けられたフィルムでも構わず、微細で高度な顕像化画像が求められる場合は、フォトリソなどの方法によって設けられたものでも構わない。
【００３２】
また、顕像化画像は内面外面どちらに設けてもよりが、フィルムが厚い場合は視覚のずれによる顕像化障害を抑えるために内面に設けられるし、通常の封筒を用いて安価に製造する場合は外面に設けられる。
【００３３】
また、この顕像化画像はドットもしくは万線により設けられるのが一般的であるが、一方向もしくは他方向に規則的に配列された図形よりなるコヒーレント性のある画像で用いられることが一般的である。
【００３４】
配送指示封入物は、その一方の表面に潜像画像からなる配送指示が表示されていることが必要であり、しかもその潜像画像に既に述べた顕像化画像が重ね合わせた場合には、顕像化される事が必要である。
【００３５】
潜像画像は、背景画像に組み込まれるのが一般的であり、背景画像と潜像画像ともに各々ドットもしくは万線により設けられるのが一般的であるが、背景画像と潜像画像一方向もしくは他方向に規則的に配列された図形よりなるコヒーレント性のある画像であり、なおかつ背景画像と潜像画像では異なる位相であることによる位置ずれを積極的に設けられている画像となっているのが一般的である。そのずれは半周期ずれると顕著であるが他方潜像が存在することが顕像化画像がなくとも悟られやすい欠点もあり、そのずれを最小限にとどめて潜像であることを悟られにくくする方法もあるが、この場合は潜像と顕像化画像の位置合わせに高い精度を求められる場合が一般的であり、顕像化した場合の画像の明瞭性も合わせて考慮して用途に応じて各種選択可能である。
【００３６】
このように、モアレ現象を利用すると、周期だけが同じであり位相のみがことなる潜像と背景を、通常は区別して認識できないにもかかわらず、潜像が画像と同一周期もしくは他の手段により位相のずれを顕著にさせることになるものである。
【００３７】
また、その位相をずらす方向も一方向のみにする場合も二方向にする場合もあるが、これも難易度と顕像化画像がなくとも悟られやすいか否か、顕像化した場合の画像の明瞭性などを考慮して用途に応じて各種選択可能である。
【００３８】
なお、この潜像画像および背景画像も黒色に限らずカラー画像であっても良いが、少なくとも潜像画像に既に述べた顕像化画像が重ね合わせた場合には、顕像化される一色または多色であるものであればどのようなものや組み合わせでもよい。
【００３９】
配送指示封入物の形状は、封筒に仮接着、封筒とミシン目接続している等の手段により位置あわせが自動的になされる構造の場合は特段その形状を問うものではない。
【００４０】
しかし、単に封入する場合は封筒の中で自由に移動してしまい顕像化したりしなかったりする障害が発生することが一般的であり、封筒の内形寸法に合わせてそれより僅かに小さい形状が一般的であり、これにより封入した場合に潜像画像と顕像化画像がずれたり回転したりすることにより顕像化障害がおきない様にするのが一般的である。
【００４１】
この場合、配送指示封入物の形状は、封筒の内形形状とほぼ同じである必要はなく、切欠きなどが存在する変則形状でも構わない。なお、潜像画像が一方向への潜像化された画像である場合は、潜像化された方向と直角方向へのずれは顕像化に支障がない場合が一般的であるので、この方向への自由移動が許容される、例えば横方向のみサイズに余裕がある形状などもこの場合は許される。
【００４２】
なお、配送指示封入物は配送目的物そのものであっても構わない。この場合必ず封筒より取り出されるものであるから、確実に潜像化することが期待できる。しかし、それでは永遠に潜像が着いたままであり、後日問題になる可能性があるなら配送目的物に潜像を設けることは好ましくなく、目的により種々選択すればよい。
【００４３】
また、潜像画像は配送指示に用いられるものであれば、住所や居所のみ、氏名または名称のみ、もしくはその双方でもよく、配送先、配送元、もしくはその両方でもよく、さらに速達や机下などの配送に関連する指示を含むもの、さらに配送に関係しない広告などを含むものであっても構わない。
【００４４】
加えて、配送指示封入物と配送目的物を別個封入するものであっても構わないが、この場合は封筒開封後に配送目的物のみ取り出して配送指示封入物を残存される場合がある、これは、封筒を開封する者が潜像画像が封筒より取り出すことにより認識困難になる潜像であることを認識せず、配送指示封入物を取り出す必要性を認識できない場合があるからである。
【００４５】
このための、配送指示封入物を配送目的物と一体化する場合がある。配送指示封入物を配送目的物と一体化する手法としては、一体製造しミシン目接続とする方法、配送指示封入物に配送目的物を仮接着する方法、配送指示封入物を配送目的物の包装容器とする方法、配送指示封入物に切れ目を入れて嵌め込む方法など多種多様な方法がある。
【実施例】
【００４６】
本発明をさらに詳しく説明するために以下に実施例を挙げるが、本発明はこの実施例のみに限定されるものではない。
【００４７】
＜実施例１＞
図１は、配送指示封入物２１が封入されている状態の封書１１の正面図であり、図２は図１の封書１１に封入されている配送指示封入物２１の正面図であり、図３は、図１の配送指示封入物２１が封入されていない状態の封筒３１の正面図である。
【００４８】
封筒３１には窓空き部分が存在し、そこにはフィルムが貼られている。このフィルムにはドットが規則的に配列されている顕像化画像３２が設けられている。
【００４９】
他方、配送指示封入物２１には、潜像画像２２と背景画像２１からなる全体画像が全面に設けられており、潜像画像２２と背景画像２１は各々同一の規則的周期パターンでドットが規則的に配列されており、ただ潜像画像２２と背景画像２１は周期開始位置がずれている。
【００５０】
この配送指示封入物２１を封筒３１に封入して封書１１とした場合、潜像画像２２が封筒３１の窓空き部分の顕像化画像３２が重なってモアレ効果を発揮し、潜像画像２２部分が視認画像１３となる。
【００５１】
これにより、このような封書１１は、郵便局や宅配業者などの配送事業者により配送元
から配送先に確実に配送される。
【００５２】
また、配送先では封書１１から配送指示封入物２１を取り出すことにより、配送指示封入物２１から潜像画像２２を認識することができなかった。
【００５３】
＜実施例２＞
図４は、図３の封筒と異なる封筒の正面図である。配送先のみ顕像化画像４２が設けられている封筒４１である。
【００５４】
＜実施例３＞
図５は、図２の配送指示封入物５１の正面図である。配送目的物であるカード５４が配送指示封入物５１に潜像画像５２とともに切り込み５３が設けられており、この配送指示封入物５１を台紙として切り込みに配送目的物であるカード５４が嵌め込まれて一体化している。
【００５５】
これにより配送目的物であるカード５４を取り出すには、配送指示封入物５１自体を一旦封筒から取り出す必要があった。
【００５６】
＜実施例４＞
図６は、別な封筒の例を示す正面図である。
【００５７】
全体が透明フィルム６１よりなり、宛先部分のみ顕像化画像６２が設けられている封筒である。
【００５８】
＜実施例５＞
図７は、別な封筒の例を示す正面図である。
【００５９】
全体が顕像化画像が設けられている透明フィルムよりなる封筒７１である。
【００６０】
＜潜像画像＞
図８は画像全体のなかに潜像画像が設けられている例を示す図である。図９は、図８の拡大図である。
【００６１】
全体的に見ると潜像があることが分からないが、詳細に見てはじめて潜像が潜んでいることが分かる。
【符号の説明】
【００６２】
１１：封書
１２：窓空き部分
１３：視認画像
２１：配送指示封入物
２２：潜像画像
３１：封筒
３２：顕像化画像
４１：封筒
４２：顕像化画像
５１：配送指示封入物
５２：潜像画像
５３：切り込み
５４：配送目的物であるカード
６１：封筒
６２：顕像化画像
７１；封筒
【図１】
2015081128.tif 000003
【図２】
2015081128.tif 000004
【図３】
2015081128.tif 000005
【図４】
2015081128.tif 000006
【図５】
2015081128.tif 000007
【図６】
2015081128.tif 000008
【図７】
2015081128.tif 000009
【図８】
2015081128.tif 000010
【図９】
2015081128.tif 000011